(57)【要約】 【課題】  水晶振動子に外部からの衝撃・振動が加わった時、従来技術による組み立て工法ではバネ形状サポートと金属環が接触することで、水晶振動子の発振停止や発振不安定が発生する。【解決手段】  矩形状水晶片を搭載する段部を有するバネ形状サポートを固定する一対のリード線を、金属環の長手方向両端部近傍に絶縁部材を介して気密かつ絶縁して封着した気密端子を有し、該気密端子の前記一対のバネ形状サポートの段部には、矩形状水晶片の両端部を固着する水平部と該矩形状水晶片の長手方向端部の両端を位置決めする立ち上げ部を有し、前記バネ形状サポートに前記矩形状水晶片を固定する水晶振動子の製造方法において、前記一対のバネ形状サポートに前記矩形状水晶片を固定する際、バネ形状サポートの変形防止部材を用いる水晶振動子の製造方法とする。【選択図】  なし【特許請求の範囲】
【請求項１】
矩形状水晶片を搭載する段部を有するバネ形状サポートを固定する一対のリード線を、金属環の長手方向両端部近傍に絶縁部材を介して気密かつ絶縁して封着した気密端子を有し、該気密端子の前記一対のバネ形状サポートの段部には、矩形状水晶片の両端部を固着する水平部と該矩形状水晶片の長手方向端部の両端を位置決めする立ち上げ部を有し、前記バネ形状サポートに前記矩形状水晶片を固定する水晶振動子の製造方法において、前記一対のバネ形状サポートに前記矩形状水晶片を固定する際、バネ形状サポートの変形防止部材を用いることを特徴とする水晶振動子の製造方法。
【請求項２】
前記変形防止部材がバネ形状サポートの最下端支持部にとりつけるアタッチメントであることを特徴とする請求項１記載の水晶振動子の製造方法。
【請求項３】
前記変形防止部材がバネ形状サポートと金属環との間に挿入するスペーサーであることを特徴とする請求項１記載の水晶振動子の製造方法。
【発明の詳細な説明】
【技術分野】
【０００１】
本発明は、水晶振動子の製造方法に関するものである。
【背景技術】
【０００２】
矩形状水晶片（以下、単に水晶片という）の両端部を固定する支持構造は、水晶振動子に衝撃が加わった時に水晶片が破損するのを防止する為、バネ形状サポートが主流である。水晶振動子の製造過程においてバネ形状サポートが変形した状態のまま水晶片を搭載し、銀ペースト等により固定された時にバネ形状サポートと金属環との接触により発振停止や発振不安定等の特性値が変化するのを防止することは重要課題である。
【０００３】
図１は両支持タイプ水晶振動子で使われる気密端子の外観正面図である。気密端子１は、バネ形状サポート２、金属環３、２本のリード線４で構成されている。
【０００４】
図２は従来技術により気密端子に水晶片を固定した正面図である。水晶片５は、銀ペースト等の導電性接着剤６により長手方向両端部を一対の変形したバネ形状サポート２に固定されている。
【０００５】
図３はバネ形状サポート２の斜視図（片側）である。バネ形状サポート２は水晶片５を搭載し導電性接着剤６で固定する水平部２ａとバネの支点となる最下端部２ｂで構成されている。
【発明の開示】
【発明が解決しようとする課題】
【０００６】
バネ形状サポートが変形した状態で、水晶片を組み込んだ半完成状態やキャップを被せて封止した完成状態において水晶振動子に外部からの衝撃・振動が加わった時、従来技術による組立工法ではバネ形状サポートと金属環が接触することで、水晶振動子の発振停止や発振不安定が発生する。これは、水晶片の諸形状全て（例えば、コンベックス型・ベベル型・フラット型）に発生する。
【課題を解決するための手段】
【０００７】
矩形状水晶片を搭載する段部を有するバネ形状サポートを固定する一対のリード線を、金属環の長手方向両端部近傍に絶縁部材を介して気密かつ絶縁して封着した気密端子を有し、該気密端子の前記一対のバネ形状サポートの段部には、矩形状水晶片の両端部を固着する水平部と該矩形状水晶片の長手方向端部の両端を位置決めする立ち上げ部を有し、前記バネ形状サポートに前記矩形状水晶片を固定する水晶振動子の製造方法において、前記一対のバネ形状ザポートに前記矩形状水晶片を固定する際、バネ形状サポートの変形防止部材を用いる水晶振動子の製造方法とする。変形防止部材は、例えば、バネ形状サポートの最下端支持部にとりつけるアタッチメントや、バネ形状サポートと金属環の間に挿入するスペーサーとする。
【発明の効果】
【０００８】
本発明の水晶振動子の製造方法によれば、アタッチメントとスペーサーを組み立て作業前に装着し、銀ペースト等を塗布し、銀ペースト等が硬化した後アタッチメントとスペーサーは取り外される組み立て作業を行うことで、バネ形状サポートの曲がりによる、発振停止や発振不安定等の特性値変化の防止となり品質が安定した。
【発明を実施するための最良の形態】
【０００９】
水晶片を搭載するバネ形状サポートを固定する一対のリード線を、金属環の長手方向両端部近傍に絶縁部材を介して気密かつ絶縁して封着した気密端子を有する、水晶振動子の製造方法において、バネ形状サポートの最下端部にアタッチメントを取り付け、組み立てを行う方法とバネ形状サポートと金属環との間にスペーサーを取り付け、組み立てを行う方法を工法とした水晶振動子の製造方法とする。
【実施例１】
【００１０】
図４は本発明に係わる水晶片の斜視図である。（Ａ）はコンベックス型水晶片であり、（Ｂ）はベベル型水晶片であり、（Ｃ）はフラット型水晶片である。コンベックス型水晶片５Ａとベベル型水晶片５Ｂは、水晶片中心部の厚さに比べ、水晶片の両端部の厚みを薄く形成するものであり端部に向かい薄くなる傾斜部が設けられている。傾斜部は、水晶片の振動エネルギーを水晶片の中心部に閉じ込め、支持部から振動エネルギーが漏洩するのを防止することを目的に形成される。フラット型水晶片５Ｃは、水晶片中心部と両端部の厚さが均一に形成されているものである。
【００１１】
図５は気密端子のバネ形状サポートに使用するアタッチメントの実施形態と気密端子を示す斜視図である。バネ形状サポートの最下端部２ｂには、脱着可能なアタッチメント７を導電性接着剤塗布前に装着する。水晶片搭載後導電性接着剤はキュアされることで硬化し、その後アタッチメント７は、取り外され組み立て作業が終了する。バネ形状サポート２を支持するアタッチメント７は左右（図中の矢印方向）どちらかの片面に装着することになる。
【実施例２】
【００１２】
図６は気密端子のバネ形状サポートと金属環との間に使用するスペーサーの実施形態と気密端子を示す斜視図である。バネ形状サポート２と金属環３との間には、脱着可能なスペーサー８を導電性接着剤塗布前に装着する。水晶片搭載後導電性接着剤はキュアされることで硬化し、その後アタッチメント８は、取り外され組み立て作業が終了する。バネ形状サポート２と金属環３との間に装着されるスペーサー８は、左右（図中の矢印方向）両方に装着することとなる。
【図面の簡単な説明】
【００１３】
【図１】両支持タイプ水晶振動子で使われる気密端子の外観正面図
【図２】従来技術により気密端子に水晶片を固定した正面図
【図３】バネ形状サポート（片側）の斜視図
【図４】矩形状水晶片の斜視図で（Ａ）はコンベックス型水晶片、（Ｂ）はベベル型水晶片、（Ｃ）はフラット型水晶片
【図５】気密端子のバネ形状サポートに使用するアタッチメントおよび気密端子の斜視図
【図６】気密端子のバネ形状サポートと金属環間に使用するスペーサーおよび気密端子の斜視図
【符号の説明】
【００１４】
１    気密端子
２    バネ形状サポート
２ａ  水晶片搭載部
２ｂ  最下端部
３    金属環
４    リード線
５    矩形状水晶片
５Ａ  コンベックス型水晶片
５Ｂ  ベベル型水晶片
５Ｃ  フラット型水晶片
６    導電性接着剤
７    アタッチメント
８    スペーサー
【図１】
2005229339.tif 000002
【図２】
2005229339.tif 000003
【図３】
2005229339.tif 000004
【図４】
2005229339.tif 000005
【図５】
2005229339.tif 000006
【図６】
2005229339.tif 000007